(57)【要約】【課題】ハンガーパイプに吊り下げられた複数の衣料品のＲＦＩＤタグをより確実に読み取ることができるハンガーパイプ用リーダ装置を提供する。【解決手段】本発明に係るハンガーパイプ用リーダ装置は、複数のハンガーを吊り下げるハンガーパイプを備えるハンガーラック用のリーダ装置であって、ハンガーパイプに着脱自在に吊り下げられる着脱部と、着脱部に接続された本体部と、各々のハンガーに掛けられる衣料品に付されたＲＦＩＤタグと通信するためのダイポールアンテナと、本体部に設けられるとともに前記ダイポールアンテナに電気的に接続され、ダイポールアンテナを通じてＲＦＩＤタグの情報を読み取るリーダモジュールとを備え、ダイポールアンテナは、着脱部がハンガーパイプに吊り下げられた状態にあるとき、ハンガーパイプの延在方向に対して交差する面内で延在するように設けられている。【選択図】図１
2020014488.tif 000002
【特許請求の範囲】
【請求項１】
複数のハンガーを吊り下げるハンガーパイプを備えるハンガーラック用のリーダ装置であって、
前記ハンガーパイプに着脱自在に吊り下げられる着脱部と、
前記着脱部に接続された本体部と、
各々の前記ハンガーに掛けられる衣料品に付されたＲＦＩＤタグと通信するためのダイポールアンテナと、
前記本体部に設けられるとともに前記ダイポールアンテナに電気的に接続され、前記ダイポールアンテナを通じて前記ＲＦＩＤタグの情報を読み取るリーダモジュールと、
を備え、
前記ダイポールアンテナは、前記着脱部が前記ハンガーパイプに吊り下げられた状態にあるとき、前記ハンガーパイプの延在方向に対して交差する面内で延在するように設けられている、
ハンガーラック用リーダ装置。
【請求項２】
前記本体部は、
前記着脱部の下方に設けられた顔部と、
前記顔部から横方向又は斜め下方に延在するように設けられた肩部と、
を備え、
前記ダイポールアンテナと前記肩部とは、同一面又は略同一面内で延在するように設けられている、請求項１に記載のハンガーラック用リーダ装置。
【請求項３】
前記ダイポールアンテナは、前記肩部よりも下方に設けられ、
前記肩部は金属製であるか、或いは、前記肩部には金属体が設けられている、請求項２に記載のハンガーラック用リーダ装置。
【請求項４】
前記リーダモジュールと前記ダイポールアンテナとは同軸ケーブルによって接続され、
前記同軸ケーブルの少なくとも一部は、前記肩部に沿うように設けられ、
前記肩部に沿う前記同軸ケーブルの外導体を前記金属体とする、
請求項３に記載のハンガーラック用リーダ装置。
【請求項５】
前記ダイポールアンテナの長さは、前記肩部の横方向の長さよりも短い、請求項２〜４のいずれか１つに記載のハンガーラック用リーダ装置。
【請求項６】
前記ダイポールアンテナは、前記着脱部が前記ハンガーパイプに吊り下げられた状態にあるとき、前記ハンガーパイプの延在方向に対して直交又は略直交する面内であって、鉛直方向に対して直交又は略直交する方向に延在している、請求項１〜５のいずれか１つに記載のハンガーラック用リーダ装置。
【請求項７】
前記リーダモジュールは、外部通信用アンテナを備える、請求項１〜６のいずれか１つに記載のハンガーラック用リーダ装置。
【請求項８】
前記ダイポールアンテナは、前記着脱部が前記ハンガーパイプに吊り下げられた状態にあるとき、鉛直方向において前記ハンガーパイプの高さの１／２の高さよりも下方に位置する、請求項１〜７のいずれか１つに記載のハンガーラック用リーダ装置。
【請求項９】
前記着脱部が前記ハンガーパイプに吊り下げられた状態で、前記ハンガーパイプの延在方向に沿って見たとき、前記ダイポールアンテナの中心は、前記ハンガーパイプの鉛直下方の領域からずれた位置に設けられている、請求項１〜８のいずれか１つに記載のハンガーラック用リーダ装置。
【請求項１０】
前記ハンガーパイプの延在方向に対して交差する面内において、前記ダイポールアンテナに対して交差する方向に延在するように配置された第２のダイポールアンテナを更に備える、請求項１〜９のいずれか１つに記載のハンガーラック用リーダ装置。
【請求項１１】
複数のハンガーを吊り下げるハンガーパイプを備えるハンガーラックであって、
各々の前記ハンガーに掛けられる衣料品に付されたＲＦＩＤタグの情報を読み取るためのハンガーラック用リーダ装置を備え、
前記ハンガーラック用リーダ装置は、
前記ハンガーパイプに着脱自在に吊り下げられる着脱部と、
前記着脱部に接続された本体部と、
各々の前記ハンガーに掛けられる衣料品に付されたＲＦＩＤタグと通信するためのダイポールアンテナと、
前記本体部に設けられるとともに前記ダイポールアンテナに電気的に接続され、前記ダイポールアンテナを通じて前記ＲＦＩＤタグの情報を読み取るリーダモジュールと、
を備え、
前記ダイポールアンテナは、前記着脱部が前記ハンガーパイプに吊り下げられた状態にあるとき、前記ハンガーパイプの延在方向に対して交差する面内で延在するように設けられている、
ハンガーラック。
【発明の詳細な説明】
【技術分野】
【０００１】
本発明は、ハンガーラック用リーダ装置、及び当該リーダ装置を備えるハンガーラックに関する。
【背景技術】
【０００２】
従来、ＲＦＩＤシステムを利用した衣料品等の在庫管理が行われている（例えば、特許文献１及び２参照）。このＲＦＩＤシステムでは、店員がハンディ型のリーダライタを走査することによって、各衣料品に取り付けられたＲＦＩＤタグを１つずつ読み取るようにしている。
【０００３】
しかしながら、前記ＲＦＩＤシステムでは、複数の衣料品の在庫管理をバッチ的に行うことが可能であるが、リアルタイムに行うことはできない。
【０００４】
これに対して、従来、ループアンテナを有するリーダ装置を備えるハンガーラックが知られている（例えば、特許文献３及び４参照）。このハンガーラックによれば、ハンガーラック自体にリーダ装置が設けられているため、複数の衣料品の在庫管理をリアルタイムに行うことが可能である。
【先行技術文献】
【特許文献】
【０００５】
【特許文献１】特開２００４−２４６６１７号公報
【特許文献２】特開２０１５−２３４５７号公報
【特許文献３】特表２００７−５３５７６２号公報
【特許文献４】特許第５６８９５６５号公報
【発明の概要】
【発明が解決しようとする課題】
【０００６】
しかしながら、従来のループアンテナを有するリーダ装置では、ハンガーラックのハンガーパイプ及び支柱にループアンテナを内蔵するか、或いは、ハンガーパイプ及び支柱自体をループアンテナの一部としている。このため、アンテナの位置がハンガーパイプ及び支柱の位置によって制約されてしまう。その結果、アンテナの信号強度が小さい場合は、ハンガーパイプに吊り下げられた複数の衣料品のＲＦＩＤタグのうち、読み取れないＲＦＩＤタグが発生し得る。また、これを抑えるために、アンテナの信号強度を大きくした場合には、他のハンガーラックのループアンテナと干渉することが起こり得る。従って、従来のリーダ装置では、ハンガーパイプに吊り下げられた複数の衣料品のＲＦＩＤタグをより確実に読み取るという観点において、未だ改善の余地がある。
【０００７】
本発明の目的は、ハンガーパイプに吊り下げられた複数の衣料品のＲＦＩＤタグをより確実に読み取ることができるハンガーラック用リーダ装置及びハンガーラックを提供することにある。
【課題を解決するための手段】
【０００８】
本発明に係るハンガーラック用リーダ装置は、複数のハンガーを吊り下げるハンガーパイプを備えるハンガーラック用のリーダ装置であって、
前記ハンガーパイプに着脱自在に吊り下げられる着脱部と、
前記着脱部に接続された本体部と、
各々の前記ハンガーに掛けられる衣料品に付されたＲＦＩＤタグと通信するためのダイポールアンテナと、
前記本体部に設けられるとともに前記ダイポールアンテナに電気的に接続され、前記ダイポールアンテナを通じて前記ＲＦＩＤタグの情報を読み取るリーダモジュールと、
を備え、
前記ダイポールアンテナは、前記着脱部が前記ハンガーパイプに吊り下げられた状態にあるとき、前記ハンガーパイプの延在方向に対して交差する面内で延在するように設けられている。
【０００９】
本発明に係るハンガーラックは、複数のハンガーを吊り下げるハンガーパイプを備えるハンガーラックであって、
各々の前記ハンガーに掛けられる衣料品に付されたＲＦＩＤタグの情報を読み取るためのハンガーラック用リーダ装置を備え、
前記ハンガーラック用リーダ装置は、
前記ハンガーパイプに着脱自在に吊り下げられる着脱部と、
前記着脱部に接続された本体部と、
各々の前記ハンガーに掛けられる衣料品に付されたＲＦＩＤタグと通信するためのダイポールアンテナと、
前記本体部に設けられるとともに前記ダイポールアンテナに電気的に接続され、前記ダイポールアンテナを通じて前記ＲＦＩＤタグの情報を読み取るリーダモジュールと、
を備え、
前記ダイポールアンテナは、前記着脱部が前記ハンガーパイプに吊り下げられた状態にあるとき、前記ハンガーパイプの延在方向に対して交差する面内で延在するように設けられている。
【発明の効果】
【００１０】
本発明によれば、ハンガーパイプに吊り下げられた複数の衣料品のＲＦＩＤタグをより確実に読み取ることができる。
【図面の簡単な説明】
【００１１】
【図１】実施の形態１に係るハンガーラック用リーダ装置の概略構成を示す正面図である。
【図２】図１のハンガーラック用リーダ装置のダイポールアンテナで読み取り可能なＲＦＩＤタグの通信範囲の一例を示す概略図である。
【図３】同軸ケーブルとダイポールアンテナとの接続部分の概略図である。
【図４Ａ】ハンガーに掛けられたＲＦＩＤタグ付きの衣料品を示す概略図である。
【図４Ｂ】図４ＡのＲＦＩＤタグの一例を示す概略図である。
【図５】図１のハンガーラック用リーダ装置の変形例がハンガーラックに吊り下げられた状態を示す斜視図である。
【図６】図１のハンガーラック用リーダ装置の変形例を示す概略図である。
【図７】図１のハンガーラック用リーダ装置の変形例を示す概略図である。
【図８】図１のハンガーラック用リーダ装置の変形例を示す概略図である。
【図９】図１のハンガーラック用リーダ装置の変形例を示す概略図である。
【図１０】図１のハンガーラック用リーダ装置の変形例を示す概略図である。
【図１１】図１のハンガーラック用リーダ装置の変形例を示す概略図である。
【図１２】図１のハンガーラック用リーダ装置の変形例を示す概略図である。
【図１３】実施の形態１に係るリーダ装置を用いる衣料品の商品管理システムの概略構成を示すブロック図である。
【図１４】実施の形態２に係るリーダ装置の概略図である。
【図１５】実施の形態３に係るリーダ装置の概略図である。
【図１６】図１のハンガーラック用リーダ装置の変形例を示す概略図である。
【発明を実施するための形態】
【００１２】
本発明の一態様に係るハンガーラック用リーダ装置は、複数のハンガーを吊り下げるハンガーパイプを備えるハンガーラック用のリーダ装置であって、
前記ハンガーパイプに着脱自在に吊り下げられる着脱部と、
前記着脱部に接続された本体部と、
各々の前記ハンガーに掛けられる衣料品に付されたＲＦＩＤタグと通信するためのダイポールアンテナと、
前記本体部に設けられるとともに前記ダイポールアンテナに電気的に接続され、前記ダイポールアンテナを通じて前記ＲＦＩＤタグの情報を読み取るリーダモジュールと、
を備え、
前記ダイポールアンテナは、前記着脱部が前記ハンガーパイプに吊り下げられた状態にあるとき、前記ハンガーパイプの延在方向に対して交差する面内で延在するように設けられている。
【００１３】
この構成によれば、ハンガーパイプに着脱自在に吊り下げられる着脱部を備えているので、ハンガーパイプに対する着脱部の吊り下げ位置に応じて、ダイポールアンテナを所望の位置に配置することが可能になる。
【００１４】
また、ダイポールアンテナは、２つのエレメントの延在方向を軸としてドーナツ状の放射パターンを有し、その延在方向に対して直交又は略直交する方向の利得が大きく、この方向に位置するＲＦＩＤタグは読取り易い一方で、その延在方向に位置するＲＦＩＤタグを読み取り難い性質を有する。これに対して、前記構成によれば、ダイポールアンテナは、ハンガーパイプの延在方向に対して交差する面内で延在するように設けられている。これにより、ハンガーパイプに吊り下げられる複数の衣料品に付されたＲＦＩＤタグは、通常、ダイポールアンテナの延在方向からずれて位置することになる。その結果、ハンガーパイプに吊り下げられた複数の衣料品のＲＦＩＤタグをより確実に読み取ることができる。なお、ダイポールアンテナは、基本的には半波長ダイポールアンテナであって、２つのエレメントを直線軸上に配置した構造であるが、前記面内において一部に折り曲げ箇所があってもよい。
【００１５】
なお、前記本体部は、前記着脱部の下方に設けられた顔部と、前記顔部から横方向又は斜め下方に延在するように設けられた肩部と、を備え、前記ダイポールアンテナと前記肩部とは、同一面又は略同一面内で延在するように設けられてもよい。この構成によれば、一般的なハンガーと同様に、顔部と肩部とを備えているので、外見をハンガーと同様の形態にしてリーダ装置を目立たなくすることができる。また、ダイポールアンテナは、肩部が延在する面から突出せず、肩部と連動して移動することになる。これにより、着脱部がハンガーパイプに吊り下げられた状態にあるとき、肩部がダイポールアンテナの方向規制部材として働き、他のハンガーに掛けられた衣料品にダイポールアンテナが絡まることを抑えることができる。
【００１６】
また、前記ダイポールアンテナは、前記肩部よりも下方に設けられ、前記肩部は金属製であるか、或いは、前記肩部には金属体が設けられてもよい。この構成によれば、肩部又は肩部に設けられた金属体がシールド材として機能し、ダイポールアンテナの電波が肩部よりも上方に放射されることを抑えることができる。
【００１７】
また、前記リーダモジュールと前記ダイポールアンテナとは同軸ケーブルによって接続され、前記同軸ケーブルの少なくとも一部は、前記肩部に沿うように設けられ、前記肩部に沿う前記同軸ケーブルの外導体を前記金属体としてもよい。この構成によれば、肩部に沿う同軸ケーブルの外導体がシールド材として機能し、ダイポールアンテナの電波が肩部よりも上方に放射されることを抑えることができる。
【００１８】
また、前記ダイポールアンテナの長さは、前記肩部の横方向の長さよりも短くてもよい。この構成によれば、着脱部がハンガーパイプに吊り下げられた状態にあるとき、他のハンガーに掛けられた衣料品にダイポールアンテナが絡まることを一層抑えることができる。また、他のハンガーに掛けられた衣料品によってダイポールアンテナを隠すことができ、リーダ装置を一層目立たなくすることができる。
【００１９】
また、前記ダイポールアンテナは、前記着脱部が前記ハンガーパイプに吊り下げられた状態にあるとき、前記ハンガーパイプの延在方向に対して直交又は略直交する面内であって、鉛直方向に対して直交又は略直交する方向に延在するように設けられていることが好ましい。ダイポールアンテナは、２つのエレメントの延在方向を軸として回転対称なドーナツ状の放射パターンを有していて、その延在方向に対して直交又は略直交する方向の利得が大きい。つまり、ダイポールアンテナを、ハンガーラックの陳列エリアの中央領域に、上記のような所定向きに配置することで、ハンガーラックにおける衣料品等の陳列エリア（ハンガーパイプ、支柱、底部で囲まれた領域）を広くカバーすることができる。
【００２０】
また、前記リーダモジュールは、外部通信用アンテナを備えてもよい。この構成によれば、リーダモジュールが読み取ったＲＦＩＤタグの情報を、店舗側端末などに送信することができる。
【００２１】
また、前記ダイポールアンテナは、前記着脱部が前記ハンガーパイプに吊り下げられた状態にあるとき、鉛直方向において前記ハンガーパイプの高さの１／２の高さよりも下方に位置するように設けられてもよい。この構成によれば、例えば、衣料品の下方にＲＦＩＤタグが位置する場合でも、当該ＲＦＩＤタグをより確実に読み取ることができる。
【００２２】
また、前記着脱部が前記ハンガーパイプに吊り下げられた状態で、前記ハンガーパイプの延在方向に沿って見たとき、前記ダイポールアンテナの中心は、前記ハンガーパイプの鉛直下方の領域からずれた位置に設けられてもよい。この構成によれば、例えば、本リーダ装置がハンガーパイプを支持する支柱に隣接して配置されたときに、支柱がダイポールアンテナ２０の指向性や利得の阻害要因になることを抑えることができる。
【００２３】
また、前記ハンガーパイプの延在方向に対して交差する面内において、前記ダイポールアンテナに対して交差する方向に延在するように配置された第２のダイポールアンテナを更に備えてもよい。例えば、ハンガーパイプに吊り下げられる複数の衣料品に付されたＲＦＩＤタグがひもによって衣料品に吊り下げられるのではなく、ＲＦＩＤタグの中心部を衣料品に対してピン止めされている場合には、ＲＦＩＤタグがピンを中心として回転することがある。それにより、ＲＦＩＤタグがダイポールアンテナの延在方向に位置し、ダイポールアンテナでＲＦＩＤタグを読み取れないことが起こり得る。前記構成によれば、第２のダイポールアンテナを備えることで、当該ＲＦＩＤタグをより確実に読み取ることが可能になる。
【００２４】
本発明の一態様に係るハンガーラックは、複数のハンガーを吊り下げるハンガーパイプを備えるハンガーラックであって、
各々の前記ハンガーに掛けられる衣料品に付されたＲＦＩＤタグの情報を読み取るためのハンガーラック用リーダ装置を備え、
前記ハンガーラック用リーダ装置は、
前記ハンガーパイプに着脱自在に吊り下げられる着脱部と、
前記着脱部に接続された本体部と、
各々の前記ハンガーに掛けられる衣料品に付されたＲＦＩＤタグと通信するためのダイポールアンテナと、
前記本体部に設けられ、前記ダイポールアンテナを通じて前記ＲＦＩＤタグの情報を読み取るリーダモジュールと、
を備え、
前記ダイポールアンテナは、前記リーダモジュールに電気的に接続され、前記着脱部が前記ハンガーパイプに吊り下げられた状態にあるとき、前記ハンガーパイプの延在方向に対して交差する面内で延在するように設けられている。
【００２５】
この構成によれば、ハンガーパイプに着脱自在に吊り下げられる着脱部を備えているので、ハンガーパイプに対する着脱部の吊り下げ位置に応じて、ダイポールアンテナを所望の位置に配置することが可能になる。
【００２６】
また、ダイポールアンテナは、その延在方向に位置するＲＦＩＤタグを読み取り難い性質を有する。これに対して、前記構成によれば、ダイポールアンテナは、ハンガーパイプの延在方向に対して交差する面内で延在するように設けられている。これにより、ハンガーパイプに吊り下げられる複数の衣料品に付されたＲＦＩＤタグは、通常、ダイポールアンテナの延在方向からずれて位置することになる。その結果、ハンガーパイプに吊り下げられた複数の衣料品のＲＦＩＤタグをより確実に読み取ることができる。
【００２７】
以下、実施の形態に係るハンガーラック用リーダ装置及びハンガーラックについて、添付図面を参照しながら説明する。なお、図面において実質的に同一の部材については同一の符号を付している。
【００２８】
また、以下では、説明の便宜上、通常使用時の状態を想定して「上」、「下」、「横」、「右」、「左」、「斜め」等の方向を示す用語を用いている。しかしながら、これらの用語は、本発明のハンガーラック用リーダ装置及びハンガーラックの使用状態等を限定することを意味するものではない。
【００２９】
（実施の形態１）
図１は、実施の形態１に係るハンガーラック用リーダ装置６の概略構成を示す正面図である。図２は、図１のハンガーラック用リーダ装置６のダイポールアンテナ２０で読み取り可能なＲＦＩＤタグの通信範囲の一例を示す概略図である。
【００３０】
実施の形態１に係るハンガーラック用リーダ装置（以下、リーダ装置と略す）６は、図２に示す複数のハンガー３ａ〜３ｈを吊り下げるハンガーラックのハンガーパイプ１１に吊り下げられるように構成されている。また、リーダ装置６は、図２に示すように、ハンガーパイプ１１に吊り下げられることで、ハンガーパイプ１１に吊り下げられている複数の衣料品２ａ〜２ｈのＲＦＩＤタグ１ａ〜１ｈの情報を読み取ることができるように構成されている。ハンガーパイプ１１は、後述する図５に示すハンガーラック１０の一部を構成するものである。
【００３１】
実施の形態１において、リーダ装置６は、図１に示すように、外見上、衣料品用のハンガーと同様の形態を有している。具体的には、リーダ装置６は、着脱部の一例であるフック７と、顔部８ａと、肩部８ｂと、バー部８ｃとで構成される本体部８とを備えている。
【００３２】
フック７は、ハンガーパイプ１１に着脱自在に吊り下げられるように構成されている。フック７は、顔部８ａに接続されている。顔部８ａは、フック７の下方に設けられている。肩部８ｂは、顔部８ａから斜め下方に延在するように設けられている。実施の形態１において、肩部８ｂは、顔部８ａから左斜め下方に延在するように設けられた左肩部８ｂａと、顔部８ａから右斜め下方に延在するように設けられた右肩部８ｂｂとを備えている。バー部８ｃは、左肩部８ｂａの下端部から横方向に延在し、右肩部８ｂｂの下端部に接続されるように設けられている。実施の形態１において、フック７、顔部８ａ、肩部８ｂ、及びバー部８ｃは、金属製である。
【００３３】
また、リーダ装置６は、ダイポールアンテナ２０と、本体部８に設けられ、外部通信用アンテナ（図１３を参照して後述する外部通信用アンテナ４７）を有するリーダモジュール（通信モジュールともいう）２２とを備えている。
【００３４】
ダイポールアンテナ２０は、図２に示すように、ハンガー３ａ〜３ｈに掛けられる衣料品２ａ〜２ｈに付されたＲＦＩＤタグ１ａ〜１ｈと通信するように構成されている。具体的には、ダイポールアンテナ２０は、図１に示すように、肩部８ｂよりも下方に設けられ、中空棒状の保持部材９によって保持されている。保持部材９の上端部９ａは、バー部８ｃの中間部に取り付けられている。また、ダイポールアンテナ２０は、肩部８ｂと、同一面又は略同一面内で延在するように設けられている。すなわち、ダイポールアンテナ２０は、フック７がハンガーパイプ１１に吊り下げられた状態にあるとき、ハンガーパイプ１１の延在方向に対して交差する面内で延在するように設けられている。なお、フック７がハンガーパイプ１１に吊り下げられた状態にあるとき、フック７及び肩部８ｂは、ハンガーパイプ１１に対して揺動し得る。このため、前記「交差する面」とは、例えば、ハンガーパイプ１１の延在方向に対して４５度から９０度傾斜する面である。
【００３５】
また、ダイポールアンテナ２０は、真っ直ぐな棒状の第１の放射導体（第１のエレメント）２０ａと、真っ直ぐな棒状の第２の放射導体（第２のエレメント）２０ｂとを備えている。各放射導体のエレメント長はそれぞれ１／４波長の長さを持つ。第１の放射導体２０ａと第２の放射導体２０ｂとは、それぞれ、真っ直ぐな棒状に形成されている。また、実施の形態１において、第１の放射導体２０ａと第２の放射導体２０ａとは、鉛直方向及びハンガーパイプ１１の延在方向に対して交差する一直線上に位置するように直列に配置されている。第１の放射導体２０ａの一端部は、保持部材９の下端部９ｂの側面に設けられた穴（図示せず）に挿入されて保持されている。同様に、第２の放射導体２０ｂの一端部は、保持部材９の下端部９ｂの側面に設けられた穴（図示せず）に挿入されて保持されている。ダイポールアンテナ２０の長さ、すなわち第１の放射導体２０ａの他端部から第２の放射導体２０ｂの他端部までの長さは、肩部８ｂの横方向（図１の左右方向）の長さよりも短くなるように構成されている。
【００３６】
ダイポールアンテナ２０は、保持部材９に保持される部分を中心として左右対称に構成されている。また、ダイポールアンテナ２０は、同軸ケーブル２１を介してリーダモジュール２２に電気的に接続されている。同軸ケーブル２１は、一端部がリーダモジュール２２の外部通信用アンテナに接続され、他端部がダイポールアンテナ２０に接続されている。また、同軸ケーブル２１は、右肩部８ｂｂ、バー部８ｃの一部、及び保持部材９に沿って延在するように設けられている。実施の形態１において、同軸ケーブル２１は、右肩部８ｂｂ、バー部８ｃの一部、及び保持部材９の内部に設けられている。また、保持部材９は、同軸ケーブル２１がねじれないようにある程度の剛性を有している。保持部材９は、ダイポールアンテナ２０の電波に対して干渉しないように、例えば、樹脂により構成されている。
【００３７】
図３は、ダイポールアンテナ２０と同軸ケーブル２１との接続部分の概略図である。図３に示すように、同軸ケーブル２１は、管状の外導体２１ａと、外導体２１ａの内部に配置される線状の内導体２１ｂとを備えている。外導体２１ａは、ダイポールアンテナ２０の第１の放射導体２０ａの一端部に接続されている。内導体２１ｄは、ダイポールアンテナ２０の第２の放射導体２０ｂの一端部に接続されている。
【００３８】
ダイポールアンテナ２０は、例えば、ＵＨＦ帯を通信周波数帯としたアンテナである。ダイポールアンテナ２０の検知領域は、例えば、横方向に約１．５ｍ、鉛直方向に約１．０ｍ程度の範囲内である。
【００３９】
リーダモジュール２２は、顔部８ａに内蔵され、同軸ケーブル２１を介してダイポールアンテナ２０に電気的に接続されている。リーダモジュール２２は、ダイポールアンテナ２０を通じてＲＦＩＤタグ１ａ〜１ｈの情報を読み取る。
【００４０】
図４Ａは、ハンガー３ａに掛けられたＲＦＩＤタグ１ａ付きの衣料品２ａを示す概略図である。図４Ｂは、ＲＦＩＤタグ１ａの一例を示す概略図である。
【００４１】
ＲＦＩＤタグ１ａは、図４Ａに示すように、商品である衣料品２ａに付されている。実施の形態１において、ＲＦＩＤタグ１ａは、例えば、衣料品２ａにひも等で取り付けられている。ＲＦＩＤタグ１ａは、図４Ｂに示すように、ＲＦＩＣ素子４１ａと、ダイポールアンテナ４２ａとを備えている。ダイポールアンテナ４２ａは、ＲＦＩＣ素子４１ａを挟んで両側にミアンダ状に延在する２つのアンテナ素子４３ａ，４３ｂを備えている。なお、ハンガー３ｂ〜３ｈは、ハンガー３ａと同一の構成を有するので、ここでは説明を省略する。なお、このＲＦＩＤタグもＵＨＦ帯を通信周波数帯として利用したタグであり、全体としてＵＨＦ帯ＲＦＩＤシステムを構成している。
【００４２】
なお、衣料品２ａ〜２ｈは、ＲＦＩＤタグによって在庫管理やセキュリティに関する管理を行うことができるものであればよい。衣料品２ａ〜２ｈは、例えば、ジャケット、ワイシャツ、Ｔシャツ、ワンピース、ズボン、スカート、靴下、下着、マフラーであってもよい。
【００４３】
実施の形態１に係るリーダ装置６によれば、ハンガーパイプ１１に着脱自在に吊り下げられるフック７を備えているので、ハンガーパイプ１１に対するフック７の吊り下げ位置に応じて、ダイポールアンテナ２０を所望の位置に配置することが可能になる。
【００４４】
また、ダイポールアンテナ２０は、その延在方向を軸としてドーナツ状の放射パターンを有し、その延在方向に対して直交又は略直交する方向の利得が大きく、この方向に位置するＲＦＩＤタグは読取り易い一方で、その延在方向に位置するＲＦＩＤタグを読み取り難い性質を有する。これに対して、実施の形態１に係るリーダ装置６によれば、ダイポールアンテナ２０がハンガーパイプ１１の延在方向に対して交差する面内で延在するように設けられている。これにより、ハンガーパイプ１１に吊り下げられる複数の衣料品２ａ〜２ｈに付されたＲＦＩＤタグ１ａ〜１ｈは、通常、ダイポールアンテナ２０の延在方向からずれて位置することになる。その結果、ハンガーパイプ１１に吊り下げられた複数の衣料品２ａ〜２ｈのＲＦＩＤタグ１ａ〜１ｈをより確実に読み取ることができる。
【００４５】
なお、ダイポールアンテナ２０は、フック７がハンガーパイプ１１に吊り下げられた状態にあるとき、ハンガーパイプ１１の延在方向に対して直交又は略直交する面内であって、鉛直方向に対して直交又は略直交する方向に延在するように設けられることが好ましい。この構成によれば、ハンガーパイプ１１に吊り下げられる複数の衣料品２ａ〜２ｈに付されたＲＦＩＤタグ１ａ〜１ｈは、ダイポールアンテナ２０の延在方向からより確実にずれて位置することになる。その結果、ハンガーパイプ１１に吊り下げられた複数の衣料品２ａ〜２ｈのＲＦＩＤタグ１ａ〜１ｈをより確実に読み取ることができる。
【００４６】
また、実施の形態１に係るリーダ装置６によれば、一般的なハンガーと同様に、本体部８が顔部８ａと肩部８ｂとを備えているので、外見をハンガーと同様の形態にしてリーダ装置６を目立たなくすることができる。
【００４７】
また、実施の形態に係るリーダ装置６によれば、図２に示すように、リーダ装置６にダミーの衣料品５を掛けることによって、リーダ装置６を一層目立たなくすることができる。
【００４８】
また、実施の形態１に係るリーダ装置６によれば、ダイポールアンテナ２０と肩部８ｂとが同一面又は略同一面内で延在するように設けられている。この構成によれば、ダイポールアンテナ２０は、肩部８ｂが延在する面から突出せず、肩部８ｂと連動して移動することになる。これにより、フック７がハンガーパイプ１１に吊り下げられた状態にあるとき、肩部８ｂがダイポールアンテナ２０の方向規制部材として働き、他のハンガーに掛けられた衣料品にダイポールアンテナ２０が絡まることを抑えることができる。
【００４９】
また、実施の形態１に係るリーダ装置６によれば、ダイポールアンテナ２０が金属製である肩部８ｂよりも下方に設けられている。この構成によれば、肩部８ｂがシールド材として機能し、ダイポールアンテナ２０の電波が肩部８ｂよりも上方に放射されることを抑えることができる。
【００５０】
また、実施の形態１に係るリーダ装置６によれば、ダイポールアンテナ２０の長さが肩部８ｂの横方向の長さよりも短くなるように構成されている。この構成によれば、フック７がハンガーパイプ１１に吊り下げられた状態にあるとき、他のハンガーに掛けられた衣料品にダイポールアンテナ２０が絡まることを一層抑えることができる。また、他のハンガーに掛けられた衣料品によってダイポールアンテナ２０を隠すことができ、リーダ装置６を一層目立たなくすることができる。
【００５１】
また、実施の形態１に係るリーダ装置６によれば、リーダモジュール２２が外部通信用アンテナを備えているので、リーダモジュール２２が読み取ったＲＦＩＤタグ１ａ〜１ｈの情報を、店舗側端末などに送信することができる。
【００５２】
なお、本発明は前記実施の形態１に限定されるものではなく、その他種々の態様で実施できる。例えば、前記では、着脱部としてフック７を例に挙げたが、本発明はこれに限定されない。例えば、着脱部は、ハンガーパイプ１１に着脱自在に吊り下げられるように構成されていれば、どのような構成であってもよい。例えば、着脱部は、ハンガーパイプ１１を挟むクリップ形状であってもよい。また、着脱部は、ハンガーパイプ１１から簡単に外れないように、ロック機構を有してもよい。これにより、例えば、使用者がリーダ装置６をハンガーと間違って取ってしまうことを抑えることができる。また、ハンガーパイプ１１に対するリーダ装置６の位置を固定することができる。
【００５３】
また、前記では、フック７、顔部８ａ、肩部８ｂ、及びバー部８ｃが金属製であるとしたが、本発明はこれに限定されない。例えば、フック７、顔部８ａ、肩部８ｂ、及びバー部８ｃは、例えば、樹脂、木材などの他の材料で構成されてもよい。この場合、肩部８ｂ及びバー部８ｃには、金属体が設けられることが好ましい。当該金属体がシールド材として機能することによって、ダイポールアンテナ２０の電波が肩部８ｂよりも上方に放射されることを抑えることができる。
【００５４】
なお、同軸ケーブル２１の少なくとも一部を肩部８ｂに沿うように設け、当該肩部８ｂに沿う同軸ケーブル２１の外導体２１ａを前記金属体として構成してもよい。この構成によれば、肩部８ｂに沿う同軸ケーブル２１の外導体２１ａがシールド材として機能し、ダイポールアンテナ２０の電波が肩部８ｂよりも上方に放射されることを抑えることができる。
【００５５】
また、前記では、図２に示すように、リーダ装置６に掛けられたダミーの衣料品５によって、ダイポールアンテナ２０が隠れるように構成したが、本発明はこれに限定されない。例えば、図５に示すように、ハンガーパイプ１１に吊り下げられた衣料品２ａ〜２ｄの下方にＲＦＩＤタグ１ａ〜１ｄが付されることが有り得る。また、ハンガーラック１０の底部１３には、ＲＦＩＤタグ１ｘが付された靴箱２ｘやＲＦＩＤタグ１ｙが付された帽子２ｙが載置されることも有り得る。この場合、ダイポールアンテナ２０は、当該ＲＦＩＤタグ１ａ〜１ｄ，１ｘ，１ｙに対して、より近い位置に配置されることが好ましい。このため、ダイポールアンテナ２０は、例えば、図５に示すように、ハンガーパイプ１１の高さの１／２の高さ（点線で示す高さ）よりも下方に位置するように設けられることが好ましい。この構成によれば、ＲＦＩＤタグ１ａ〜１ｄ，１ｘ，１ｙを読み取ることが可能になる。
【００５６】
なお、図５では、保持部材９の鉛直方向の長さを長くすることにより、ダイポールアンテナ２０がハンガーパイプ１１の高さの１／２の高さよりも下方に位置するように構成したが、本発明はこれに限定されない。例えば、フック７を鉛直方向に伸縮可能に構成し、当該フック７を伸ばすことによって、ダイポールアンテナ２０がハンガーパイプ１１の高さの１／２の高さよも下方に位置するように構成してもよい。また、この場合、フック７を鉛直方向に伸縮可能に構成することによって、ＲＦＩＤタグ１ａ〜１ｄ，１ｘ，１ｙの位置に応じてダイポールアンテナ２０の高さを調整することが可能になる。
【００５７】
なお、実施の形態１に係るハンガーラック１０は、横方向に延在するハンガーパイプ１１と、鉛直方向に延在し、ハンガーパイプ１１の両端部を支持する一対の支柱１２とを備えている。各支柱１２の下端部は、底部１３に接続されている。底部１３の底面には、複数のキャスター１４が設けられている。ハンガーパイプ１１、支柱１２、及び底部１３は、例えば、金属、樹脂、木材等で構成されている。
【００５８】
なお、ハンガーパイプ１１が金属で構成される場合、ハンガーパイプ１１とダイポールアンテナ２０との距離が近いと、ハンガーパイプ１１がダイポールアンテナ２０の指向性や利得の阻害要因になるおそれがある。このため、ダイポールアンテナ２０は、ハンガーパイプ１１から１／４波長の半分以上、より好ましくは、１／２波長以上離れて配置されることが好ましい。なお、ダイポールアンテナ２０の横方向の長さ（全長）が、１／２波長に対応する。
【００５９】
また、支柱１２が金属で構成される場合、リーダ装置６が支柱１２に隣接して配置されたときに、支柱１２によってダイポールアンテナ２０の指向性や利得の阻害要因になるおそれがある。このため、図６に示すように、フック７がハンガーパイプ１１に吊り下げられた状態で、ハンガーパイプ１１の延在方向に沿って見たとき、ダイポールアンテナ２０の中心２０ｃは、ハンガーパイプ１１の鉛直下方の領域Ｅ１からずれた位置に設けられることが好ましい。これにより、リーダ装置６が支柱１２に隣接して配置されたときに、支柱１２がダイポールアンテナ２０の指向性や利得の阻害要因になることを抑えることができる。
【００６０】
なお、この場合、ダイポールアンテナ２０の中心２０ｃがハンガーパイプ１１の鉛直下方の領域Ｅ１から離れ過ぎると、ダイポールアンテナ２０の中心２０ｃが領域Ｅ１からずれる方向とは逆方向に位置するＲＦＩＤタグを読み取り難くなる。このため、ダイポールアンテナ２０の左右の端部が、肩部８ｂの左右の端部よりも横方向に突出しない程度に、ダイポールアンテナ２０の中心２０ｃをハンガーパイプ１１の鉛直下方の領域Ｅ１からずらすことが好ましい。これにより、ダイポールアンテナ２０の左右の端部が衣料品２ａ〜２ｈに絡まることも抑えることができる。
【００６１】
なお、前記では、ハンガーパイプ１１の延在方向に沿って見たとき、ハンガーパイプ１１の鉛直下方の領域Ｅ１に支柱１２が重なるように設けられるものとしたが、当該領域E１に支柱１２が重ならない場合も有り得る。この場合、リーダ装置６が吊り下げられるハンガーラックの支柱の形態に応じて、支柱１２がダイポールアンテナ２０の指向性や利得の阻害要因にならないように、ダイポールアンテナ２０の中心２０ｃをずらせばよい。
【００６２】
また、前記では、同軸ケーブル２１が、右肩部８ｂｂ、バー部８ｃの一部、及び保持部材９の内部に設けられるものとしたが、本発明はこれに限定されない。例えば、同軸ケーブル２１は、右肩部８ｂｂ、バー部８ｃの一部、及び保持部材９の表面に沿って配置されてもよい。
【００６３】
また、前記では、同軸ケーブル２１が、右肩部８ｂｂ、バー部８ｃの一部、及び保持部材９に沿うように設けたが、本発明はこれに限定されない。例えば、図７に示すように、バー部８ｃを設けず、保持部材９の上端部９ａをリーダモジュール２２に直接接続し、肩部８ｂよりも下方に位置するように延設した保持部材９の下端部９ｂにダイポールアンテナ２０を設けてもよい。この構成によっても、一般的なハンガーと同様に、顔部８ａと肩部８ｂとを備えているので、外見をハンガーと同様の形態にしてリーダ装置６を目立たなくすることができる。
【００６４】
また、前記では、リーダモジュール２２とダイポールアンテナ２０とが同軸ケーブル２１によって接続されるものとしたが、本発明はこれに限定されない。例えば、リーダモジュール２２とダイポールアンテナ２０とは、２本のケーブルによって電気的に接続されてもよい。また、リーダモジュール２２とダイポールアンテナ２０とは、同軸ケーブル２１を介さずに直接接続されてもよい。例えば、図８に示すように、第１の放射導体２０ａを右肩部８ｂｂに配置して、第１の放射導体２０ａの一端部をリーダモジュール２２に直接接続するようにしてもよい。また、第２の放射導体２０ｂを左肩部８ｂａに配置して、第２の放射導体２０ａの一端部をリーダモジュール２２に直接接続するようにしてもよい。この構成によっても、ハンガーパイプ１１に吊り下げられた複数の衣料品２ａ〜２ｈのＲＦＩＤタグ１ａ〜１ｈをより確実に読み取ることができるとともに、ダイポールアンテナ２０を外部から見えないようにすることができる。
【００６５】
また、前記では、ダイポールアンテナ２０が保持部材９を介してバー部８ｃに取り付けられるものとしたが、本発明はこれに限定されない。例えば、図９に示すように、ダイポールアンテナ２０は、バー部８ｃに内蔵されてもよい。また、ダイポールアンテナ２０は、バー部８ｃに沿って取り付けられてもよい。この構成によっても、ハンガーパイプ１１に吊り下げられた複数の衣料品２ａ〜２ｈのＲＦＩＤタグ１ａ〜１ｈをより確実に読み取ることができるとともに、ダイポールアンテナ２０を外部から見えないようにすることができる。また、保持部材９を設ける必要性を無くすことができる。
【００６６】
また、前記では、肩部８ｂが、左肩部８ｂａと右肩部８ｂｂとを備えるように構成したが、本発明はこれに限定されない。例えば、肩部８ｂは、図１０に示すように、右肩部８ｂｂのみを備えるように構成されてもよい。また、肩部８ｂは、左肩部８ｂａのみを備えるように構成されてもよい。この構成によっても、前記と同様の効果を得ることができる。
【００６７】
また、前記では、肩部８ｂが顔部８ａから斜め下方に延在するように構成したが、本発明はこれに限定されない。例えば、肩部８ｂは、図１１に示すように、顔部８ａから横方向に延在するように構成されてもよい。この構成によっても、前記と同様の効果を得ることができる。
【００６８】
また、前記では、本体部８は、ハンガーの形態を有するものとしたが、本発明はこれに限定されない。本体部８は、図１２に示すように、ハンガーの形態を有さなくてもよい。この構成によっても、ハンガーパイプ１１に吊り下げることができるので、ハンガーパイプ１１に対するフック７の吊り下げ位置に応じて、ダイポールアンテナ２０を所望の位置に配置することが可能になる。また、ダイポールアンテナ２０をハンガーパイプ１１の延在方向に対して交差する面内で延在するように設けることで、ＲＦＩＤタグ１ａ〜１ｈは、通常、ダイポールアンテナ２０の延在方向からずれて位置することになる。その結果、ハンガーパイプ１１に吊り下げられた複数の衣料品２ａ〜２ｈのＲＦＩＤタグ１ａ〜１ｈをより確実に読み取ることができる。また、ハンガーパイプ１１に吊り下げられた複数の衣料品によって、本体部８が見えないようにリーダ装置を構成することによって、リーダ装置を目立たなくすることができる。
【００６９】
また、前記では、図２又は図５に示すように、ハンガーパイプ１１が真っ直ぐな棒体であるものとしたが、本発明はこれに限定されない。例えば、ハンガーパイプ１１は、環状の棒体などの曲線部を有する棒体であってもよい。この場合、ハンガーパイプ１１の曲線部の延在方向は、当該曲線部の接線方向に対応する。
【００７０】
また、前記では、ＲＦＩＤタグ１ａのアンテナ素子４３ａ，４３ｂが、図５Ａに示すように、ミアンダ状の形態であるものとしたが、本発明はこれに限定されない。例えば、アンテナ素子４３ａ，４３ｂは、直線状のアンテナであってもよいし、ループ状のアンテナであってもよい。アンテナ素子４３ａ，４３ｂの構成は、通信の周波数帯に応じて適宜選択すればよい。また、ＲＦＩＤタグ１ａの全体をカバー材（図示せず）で覆っていてもよい。カバー材の表面には、例えば値段やブランド名等が印字されてもよい。ＲＦＩＣ素子４１ａは、整合回路部とともにパッケージされてもよい。
【００７１】
また、前記では、ＲＦＩＤタグ１ａ〜１ｈは、衣料品２ａ〜２ｈにひも等で取り付けられるものとしたが、本発明はこれに限定されない。例えば、ＲＦＩＤタグ１ａ〜１ｈは、衣料品２ａ〜２ｈと関連付けられていれば、衣料品２ａ〜２ｈと物理的に離れた位置に配置されていてもよい。
【００７２】
また、前記では、リーダモジュール２２が外部通信用アンテナを備えるものとしたが、本発明はこれに限定されない。リーダモジュール２２は、外部通信用アンテナを備えず、例えば、読み取ったＲＦＩＤタグの情報を蓄積する記憶部を備えてもよい。
【００７３】
また、前記では、リーダ装置６は、ＲＦＩＤタグの情報を読み取るリーダ機能を有するものとしたが、本発明はこれに限定されない。例えば、リーダ装置６は、ＲＦＩＤタグの情報を読み取るとともに、ＲＦＩＤタグに情報を書き込むリーダライタ機能を有するように構成されてもよい。
【００７４】
次に、実施の形態１に係るリーダ装置６を用いて、複数の衣料品の商品管理を行う商品管理システムについて説明する。図１３は、実施の形態１に係るリーダ装置６を用いる衣料品の商品管理システム１００の概略構成を示すブロック図である。
【００７５】
図１３に示すように、商品管理システム１００は、リーダ装置６と、リーダ装置６と通信して複数の衣料品の商品管理を行う店舗側端末５０とを備えている。
【００７６】
リーダ装置６のリーダモジュール２２は、ダイポールアンテナ２０と接続されているＲＦＩＤ通信用のＲＦＩＣ素子４４と、制御部４５と、ＲＦＩＣ素子４６と、外部通信用アンテナ４７と、駆動用のバッテリー４８とを備えている。ＲＦＩＣ素子４６は、ＷｉＦｉ（登録商標）／Ｂｌｕｅｔｏｏｔｈ（登録商標）通信用の素子であり、外部通信用アンテナ４７と接続されている。
【００７７】
外部通信用アンテナ４７は、店舗側アンテナ５１に対して、例えば、ＵＨＦ帯又はＳＨＦ帯で通信するアンテナである。外部通信用アンテナ４７と店舗側アンテナ５１とは、例えば、１０ｍ以上１００ｍ以下の通信距離を有し、２．４ＧＨｚ帯や５ＧＨｚ帯の通信周波数帯を利用する近距離無線通信を行う。また、ダイポールアンテナ２０とＲＦＩＤタグ１ａ〜１ｈのダイポールアンテナ４２ａ〜４２ｈとは、９００ＭＨｚ帯を利用して通信を行う。外部通信用アンテナ４７と店舗側アンテナ５１との通信、及び、ダイポールアンテナ２０とダイポールアンテナ４２ａ〜４２ｈとの通信は、通信周波数帯や電波の強度や性質が異なる。このため、電波が干渉することが抑えられる。近距離無線通信システムで用いるアンテナは、共振系のアンテナである。バッテリー４８は、ＲＦＩＣ素子４４、制御部４５、及び、ＲＦＩＣ素子４６に電力を供給する。
【００７８】
店舗側端末５０は、店舗側アンテナ５１と、ＲＦＩＣ素子５２と、制御部５３とを備えている。
【００７９】
店舗側アンテナ５１は、リーダ装置６の外部通信用アンテナ４７と通信するためのアンテナである。店舗側アンテナ５１は、リーダ装置６の外部通信用アンテナ４７に対して、例えば、ＵＨＦ帯又はＳＨＦ帯で近距離無線通信を行う。
【００８０】
ＲＦＩＣ素子５２は、ＷｉＦｉ（登録商標）／Ｂｌｕｅｔｏｏｔｈ（登録商標）通信用の素子であり、店舗側アンテナ５１と接続されている。
【００８１】
制御部５３は、ＲＦＩＤタグの情報を管理するものである。より具体的には、制御部５３は、衣料品の取り出し履歴等の商品管理を行う。例えば、制御部５３は、特定のＲＦＩＤタグの読取り可否をリアルタイムに検出して、特定のＲＦＩＤタグが付された衣料品が掛けられているハンガーラック１０から取り出され、その後に戻された回数を含む履歴を管理する。これにより、複数の衣料品の在庫管理をより正確に行うことができる。なお、制御部５３は、会計処理と連動させて商品管理を行ってもよい。
【００８２】
なお、前記では、店舗側端末５０とリーダ装置６のリーダモジュール２２との通信は、無線で行うようにしたが、本発明はこれに限定されない。店舗側端末５０とリーダ装置６のリーダモジュール２２との通信は、有線で行われてもよい。
【００８３】
なお、リーダモジュール２２は、バッテリー４８を備え、リーダ装置６の中で比較的重量を有する部品である。このため、リーダモジュール２２は、リーダ装置６の重心を通る鉛直線上に設けることが好ましい。これにより、リーダ装置６の安定性を向上させることができる。
【００８４】
（実施の形態２）
図１４は、実施の形態２に係るリーダ装置６Ａの概略図である。
【００８５】
実施の形態２に係るリーダ装置６Ａが実施の形態１に係るリーダ装置６と主として異なる点は、リーダ装置６Ａが第１のダイポールアンテナ２０Ａと、第２のダイポールアンテナ２０Ｂを備える点である。
【００８６】
実施の形態２において、リーダ装置６Ａは、図１４に示すように、フック７と、本体部８Ａとを備えている。本体部８Ａは、箱状の筐体である。本体部８Ａには、リーダモジュール２２Ａと、第１のダイポールアンテナ２０Ａと、第２のダイポールアンテナ２０Ｂが収容されている。
【００８７】
第１のダイポールアンテナ２０Ａと第２のダイポールアンテナ２０Ｂとは、フック７がハンガーパイプ１１（図２等参照）に吊り下げられた状態にあるとき、ハンガーパイプ１１の延在方向に対して交差する面内で延在するように設けられている。より具体的には、第１のダイポールアンテナ２０Ａは、ハンガーパイプ１１の延在方向に対して直交又は略直交する面内であって、鉛直方向に対して直交又は略直交する方向に延在するように配置されている。また、第２のダイポールアンテナ２０Ｂは、第１のダイポールアンテナ２０Ａに対して交差する方向（例えば、直交又は略直交する方向）に延在するように配置されている。
【００８８】
リーダモジュール２２Ａは、ＲＦＩＤ通信用の第１のＲＦＩＣ素子４４Ａと、ＲＦＩＤ通信用の第２のＲＦＩＣ素子４４Ｂとを備えている。第１のＲＦＩＣ素子４４Ａは、同軸ケーブル２１Ａによって第１のダイポールアンテナ２０Ａと接続されている。第２のＲＦＩＣ素子４４Ｂと、同軸ケーブル２１Ｂによって第２のダイポールアンテナ２０Ｂと接続されている。第１のＲＦＩＣ素子４４Ａと第２のＲＦＩＣ素子４４Ｂとは、制御部４５に接続されている。
【００８９】
制御部４５は、第１のＲＦＩＣ素子４４Ａの動作と、第２のＲＦＩＣ素子４４Ｂの動作とを時分割で切り換える。第１のＲＦＩＣ素子４４Ａの動作と第２のＲＦＩＣ素子４４Ｂの動作とを時分割で切り換える間隔は、例えば１秒である。
【００９０】
例えば、ハンガーパイプ１１に吊り下げられる複数の衣料品に付されたＲＦＩＤタグがひもによって衣料品に吊り下げられるのではなく、ＲＦＩＤタグの中心部を衣料品に対してピン止めされている場合には、ＲＦＩＤタグがピンを中心として回転することがある。また、図５に示すように、ハンガーラック１０の底部１３に載置された靴箱２ｘや帽子２ｙに付されたＲＦＩＤタグ１ｘ，１ｙの向きは一様ではない。それにより、ＲＦＩＤタグが第１のダイポールアンテナ２０Ａの延在方向に位置し、第１のダイポールアンテナ２０ＡでＲＦＩＤタグを読み取れないことが起こり得る。
【００９１】
これに対して、実施の形態２に係るリーダ装置６Ａによれば、第１のダイポールアンテナ２０Ａに対して交差する方向に配置された第２のダイポールアンテナ２０Ｂを更に備えているので、ＲＦＩＤタグをより確実に読み取ることが可能になる。
【００９２】
（実施の形態３）
図１５は、実施の形態３に係るリーダ装置６Ｂの概略図である。
【００９３】
実施の形態３に係るリーダ装置６Ｂが実施の形態２に係るリーダ装置６Ａと主として異なる点は、ＲＦＩＣ素子４４の動作をスイッチ４８により切り換えるように構成されている点である。
【００９４】
実施の形態３において、リーダ装置６Ｂは、図１５に示すように、フック７と、本体部８Ｂとを備えている。本体部８Ｂは、箱状の筐体である。本体部８Ｂには、リーダモジュール２２Ｂと、第１のダイポールアンテナ２０Ａと、第２のダイポールアンテナ２０Ｂが収容されている。
【００９５】
リーダモジュール２２Ｂは、ＲＦＩＤ通信用のＲＦＩＣ素子４４と、ＲＦＩＣ素子４４の動作を切り換えるスイッチ４８とを備えている。ＲＦＩＣ素子４４Ａは、スイッチ４８と接続されている。スイッチ４８は、同軸ケーブル２１Ａによって第１のダイポールアンテナ２０Ａに接続されるとともに、同軸ケーブル２１Ｂによって第２のダイポールアンテナ２０Ｂと接続されている。
【００９６】
制御部４５は、ＲＦＩＣ素子４４と第１のダイポールアンテナ２０Ａとの通信、及びＲＦＩＣ素子４４と第２のダイポールアンテナ２０Ｂとの通信を時分割で切り換えるようにスイッチ４８を制御する。
【００９７】
実施の形態３に係るリーダ装置６Ｂによれば、実施の形態２に係るリーダ装置６Ａと同様に、第２のダイポールアンテナ２０Ｂを更に備えているので、ＲＦＩＤタグをより確実に読み取ることが可能になる。
【００９８】
なお、前記では、本体部８Ａ，８Ｂ内に第１及び第２のダイポールアンテナ２０Ａ，２０Ｂが収容されるものとしたが、本発明はこれに限定されない。例えば、図１６に示すように、ハンガーパイプ１１の延在方向に対して交差する面内において、互いに交差するように配置された第１及び第２のダイポールアンテナ２０Ａ，２０Ｂが保持部材９の上端部９ｂで保持されるように構成されてもよい。この構成によっても、第２のダイポールアンテナ２０Ｂを更に備えているので、ＲＦＩＤタグをより確実に読み取ることが可能になる。
【００９９】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【０１００】
本発明に係るハンガーラック用リーダ装置によれば、ハンガーパイプに吊り下げられた複数の衣料品のＲＦＩＤタグをより確実に読み取ることができるので、例えば、ハンガーラックや当該ハンガーラックを用いる衣料品の商品管理システムに有用である。
【符号の説明】
【０１０１】
１ａ〜１ｈ，１ｘ，１ｙ  ＲＦＩＤタグ
２ａ〜２ｈ  衣料品
２ｘ  靴箱
２ｙ  帽子
３ａ〜３ｈ  ハンガー
５  ダミーの衣料品
６，６Ａ，６Ｂ  ハンガーラック用リーダ装置
７  フック
８，８Ａ，８Ｂ  本体部
８ａ  顔部
８ｂ  肩部
８ｂａ  左肩部
８ｂｂ  右肩部
８ｃ  バー部
９    保持部材
９ａ  上端部
９ｂ  下端部
１０  ハンガーラック
１１  ハンガーパイプ
１２  支柱
１３  底部
１４  キャスター
２０，２０Ａ，２０Ｂ  ダイポールアンテナ
２０ａ  第１の放射導体
２０ｂ  第２の放射導体
２０ｃ  中心
２１，２１Ａ，２１Ｂ  同軸ケーブル
２１ａ  外導体
２１ｂ  内導体
２２，２２Ａ  リーダモジュール
４１ａ〜４１ｈ  ＲＦＩＣ素子
４２ａ〜４２ｈ  ダイポールアンテナ
４３ａ，４３ｂ  アンテナ素子
４４  ＲＦＩＣ素子
４４Ａ  第１のＲＦＩＣ素子
４４Ｂ  第２のＲＦＩＣ素子
４５  制御部
４６  ＲＦＩＣ素子
４７  外部通信用アンテナ
４８  バッテリー
５０  店舗側端末
５１  店舗側アンテナ
５２  ＲＦＩＣ素子
５３  制御部
１００  商品管理システム
【図１】
2020014488.tif 000003
【図２】
2020014488.tif 000004
【図３】
2020014488.tif 000005
【図４Ａ】
2020014488.tif 000006
【図４Ｂ】
2020014488.tif 000007
【図５】
2020014488.tif 000008
【図６】
2020014488.tif 000009
【図７】
2020014488.tif 000010
【図８】
2020014488.tif 000011
【図９】
2020014488.tif 000012
【図１０】
2020014488.tif 000013
【図１１】
2020014488.tif 000014
【図１２】
2020014488.tif 000015
【図１３】
2020014488.tif 000016
【図１４】
2020014488.tif 000017
【図１５】
2020014488.tif 000018
【図１６】
2020014488.tif 000019